(57)【要約】【課題】可視光を透過し透明な熱線吸収部を備えた光制御シートであっても、視覚、触覚等で、熱線吸収部が延在する所定方向を容易に把握すること。【解決手段】光制御シート１００は、光が入射する光入射部２００に取り付けられる。光制御シート１００は、光を制御する複数の光制御部１１と、少なくとも光制御部１１の間に設けられて光を透過する光透過部１６と、を有する光制御層１０と、光制御層１０の後面側に設けられた保護フィルム４０と、を備える。光制御部１１は、光制御シート１００の面内で所定方向に沿って設けられる。光制御部１１は、前面側から照射された光と後面側から照射された光とで、異なる効果を示す。保護フィルム４０は、前面側又は後面側を示すためのマークを有している。【選択図】図６
2014089377.tif 000002
【特許請求の範囲】
【請求項１】
光が入射する光入射部に取り付けられる光制御シートにおいて、
前記光を制御する複数の光制御部と、少なくとも前記光制御部の間に設けられて前記光を透過する光透過部と、を有する光制御層と、
前記光制御層の後面側に設けられた保護フィルムと、を備え、
前記光制御部は、前記光制御シートの面内で所定方向に沿って設けられ、
前記光制御部は、前面側から照射された光と後面側から照射された光とで、異なる効果を示し、
前記保護フィルムは、前記前面側又は前記後面側を示すためのマークを有することを特徴とする光制御シート。
【請求項２】
前記光制御部は、前記光を反射して前記光の入射側とは反対側に前記光を取り込む複数の光反射部及び／又は前記光が熱線を含む場合に当該熱線を吸収する複数の熱線吸収部であることを特徴とする請求項１に記載の光制御シート。
【請求項３】
前記保護フィルムは切欠きを有し、
前記切欠きが前記マークとして機能することを特徴とする請求項１又は２のいずれかに記載の光制御シート。
【請求項４】
前記切欠きは、前記保護フィルムの角部に設けられていることを特徴とする請求項３に記載の光制御シート。
【請求項５】
前記保護フィルムは、少なくとも一つの丸みを帯びた角部と、少なくとも一つの角張った角部を有し、
前記丸みを帯びた角部と前記角張った角部の組み合わせが、前記マークとして機能することを特徴とする請求項１乃至４のいずれか１項に記載の光制御シート。
【請求項６】
前記保護フィルムは、前記所定方向を示すための印字又は刻印がなされた印を有し、
前記印が前記マークとして機能することを特徴とする請求項１乃至５のいずれか１項に記載の光制御シート。
【請求項７】
前記印は、特定波長の光を照射することで視認可能となることを特徴とする請求項６に記載の光制御シート。
【請求項８】
前記保護フィルムは、前記所定方向を示すための凸部を有し、
前記凸部が前記マークとして機能することを特徴とする請求項１乃至７のいずれか１項に記載の光制御シート。
【請求項９】
前記保護フィルムは、前記所定方向を示すための凹部又は孔部を有し、
前記凹部又は前記孔部が前記マークとして機能することを特徴とする請求項１乃至８のいずれか１項に記載の光制御シート。
【請求項１０】
前記保護フィルムは、前記所定方向を示すためのビーズ、気泡又は中空粒子を有し、
前記ビーズ、前記気泡又は前記中空粒子が前記マークとして機能することを特徴とする請求項１乃至９のいずれか１項に記載の光制御シート。
【請求項１１】
前記保護フィルムは、面方向において前記光制御層が設けられていない箇所に突出した突出部を有し、
前記突出部が前記マークとして機能することを特徴とする請求項１乃至１０のいずれか１項に記載の光制御シート。
【請求項１２】
前記保護フィルムは、ハーフカット部と、前記ハーフカット部とは別体の保護フィルム本体部とを有し、
前記ハーフカット部は前記保護フィルム本体部に先だって剥離することができ、前記マークとして機能することを特徴とする請求項１乃至１１のいずれか１項に記載の光制御シート。
【請求項１３】
光が入射する光入射部に取り付けられる光制御シートにおいて、
前記光を制御する複数の光制御部と、少なくとも前記光制御部の間に設けられて前記光を透過する光透過部と、を有する光制御層と、
前記光制御層の前面側又は後面側に剥離可能に設けられたシール部材と、を備え、
前記光制御部は、前記光制御シートの面内で所定方向に沿って設けられ、
前記光制御部は、前面側から照射された光と後面側から照射された光とで、異なる効果を示し、
前記シール部材は、前記前面側又は前記後面側を示すためのマークを有することを特徴とする光制御シート。
【請求項１４】
前記光制御部は、前記光を反射して前記光の入射側とは反対側に前記光を取り込む複数の光反射部及び／又は前記光が熱線を含む場合に当該熱線を吸収する複数の熱線吸収部であることを特徴とする請求項１３に記載の光制御シート。
【請求項１５】
光を取り入れる光入射部と、
前記光入射部に設けられた請求項１乃至１４のいずれか１項に記載の光制御シートと、
を備えたことを特徴とする光制御シート付き光入射部。
【発明の詳細な説明】
【技術分野】
【０００１】
本発明は、光を取り入れる窓ガラス等の光入射部に取り付けられる光制御シートと、当該光制御シートが設けられた光制御シート付き光入射部に関する。
【背景技術】
【０００２】
従来から単層膜又は複数膜を積層した光制御シート、例えば、熱線抑制窓貼りフィルム等が知られている。このような光制御シートは、前面側から太陽光等の光が入射しようが後面側から太陽光等の光が入射しようが、太陽光等の光を吸収して遮光する熱吸収効果についての性能に差がない。このため、作業者は、当該光制御シートの前後面（表裏）を気にせずに窓ガラス等の光入射部に貼ることができる。
【０００３】
他方、太陽光等の光を透過する光透過性材料からなる光透過部と、太陽光等の光を吸収する熱線吸収材料からなり、面内の所定方向に沿って、所定の間隔（ピッチ）で、複数配列された熱線吸収部を有する光制御シートが知られている（特許文献１参照）。
【０００４】
このような特許文献１に開示されたような光制御シートでは、熱線吸収部の横断面（面内で「所定方向」に直交する方向で切断した断面）が台形形状となっており、前面側から照射された太陽光等の光と後面側から照射された太陽光等の光で異なる熱吸収効果を有している。つまり、台形の下辺側から太陽光等の光が入射された場合の方が、台形の上辺側から太陽光等の光が入射された場合よりも熱吸収効果が高くなっている。このため、熱線吸収部による太陽光等の光の吸収効果を効率よく発揮するためには、熱線吸収部の下辺側が太陽光等の光の入射する方向に向くように、窓ガラス等の光入射部に貼り付けられる必要がある。
【０００５】
この点、熱線吸収部は、光制御シートの内部に設けられているので、光制御シートの表面は平滑であり、触覚では光制御シートの前後面（表裏）を判別することができない。また、熱線吸収部が着色していても目視で熱線吸収部の前後面（表裏）を判別することが難しく、熱線吸収部が可視光を透過し透明になっている場合には目視で熱線吸収部の前後面（表裏）を判別することはとりわけ難しい。
【先行技術文献】
【特許文献】
【０００６】
【特許文献１】特開２０１０−２５９４０６号公報
【発明の概要】
【発明が解決しようとする課題】
【０００７】
以上のような点に鑑み、本発明は、視覚、触覚等で、前後面（表裏）を容易に把握できることができる光制御シートを提供する。
【課題を解決するための手段】
【０００８】
本発明の第１の態様による光制御シートは、
光が入射する光入射部に取り付けられる光制御シートであって、
前記光を制御する複数の光制御部と、少なくとも前記光制御部の間に設けられて前記光を透過する光透過部と、を有する光制御層と、
前記光制御層の後面側に設けられた保護フィルムと、を備え、
前記光制御部は、前記光制御シートの面内で所定方向に沿って設けられ、
前記光制御部は、前面側から照射された光と後面側から照射された光とで、異なる効果を示し、
前記保護フィルムは、前記前面側又は前記後面側を示すためのマークを有する。
【０００９】
本発明の第１の態様による光制御シートにおいて、
前記光制御部は、前記光を反射して前記光の入射側とは反対側に前記光を取り込む複数の光反射部及び／又は前記光が熱線を含む場合に当該熱線を吸収する複数の熱線吸収部であってもよい。
【００１０】
本発明の第１の態様による光制御シートにおいて、
前記保護フィルムは切欠きを有し、
前記切欠きが前記マークとして機能してもよい。
【００１１】
本発明の第１の態様による光制御シートにおいて、
前記切欠きは、前記保護フィルムの角部に設けられてもよい。
【００１２】
本発明の第１の態様による光制御シートにおいて、
前記保護フィルムは、少なくとも一つの丸みを帯びた角部と、少なくとも一つの角張った角部を有し、
前記丸みを帯びた角部と前記角張った角部の組み合わせが、前記マークとして機能してもよい。
【００１３】
本発明の第１の態様による光制御シートにおいて、
前記保護フィルムは、前記所定方向を示すための印字又は刻印がなされた印を有し、
前記印が前記マークとして機能してもよい。
【００１４】
本発明の第１の態様による光制御シートにおいて、
前記印は、特定波長の光を照射することで視認可能となってもよい。
【００１５】
本発明の第１の態様による光制御シートにおいて、
前記保護フィルムは、前記所定方向を示すための凸部を有し、
前記凸部が前記マークとして機能してもよい。
【００１６】
本発明の第１の態様による光制御シートにおいて、
前記保護フィルムは、前記所定方向を示すための凹部又は孔部を有し、
前記凹部又は前記孔部が前記マークとして機能してもよい。
【００１７】
本発明の第１の態様による光制御シートにおいて、
前記保護フィルムは、前記所定方向を示すためのビーズ、気泡又は中空粒子を有し、
前記ビーズ、前記気泡又は前記中空粒子が前記マークとして機能してもよい。
【００１８】
本発明の第１の態様による光制御シートにおいて、
前記保護フィルムは、面方向において前記光制御層が設けられていない箇所に突出した突出部を有し、
前記突出部が前記マークとして機能してもよい。
【００１９】
本発明の第１の態様による光制御シートにおいて、
前記保護フィルムは、ハーフカット部と、前記ハーフカット部とは別体の保護フィルム本体部とを有し、
前記ハーフカット部は前記保護フィルム本体部に先だって剥離することができ、前記マークとして機能してもよい。
【００２０】
本発明の第２の態様による光制御シートは、
光が入射する光入射部に取り付けられる光制御シートであって、
前記光を制御する複数の光制御部と、少なくとも前記光制御部の間に設けられて前記光を透過する光透過部と、を有する光制御層と、
前記光制御層の前面側又は後面側に剥離可能に設けられたシール部材と、を備え、
前記光制御部は、前記光制御シートの面内で所定方向に沿って設けられ、
前記光制御部は、前面側から照射された光と後面側から照射された光とで、異なる効果を示し、
前記シール部材は、前記前面側又は前記後面側を示すためのマークを有してもよい。
【００２１】
本発明の第２の態様による光制御シートにおいて、
前記光制御部は、前記光を反射して前記光の入射側とは反対側に前記光を取り込む複数の光反射部及び／又は前記光が熱線を含む場合に当該熱線を吸収する複数の熱線吸収部であってもよい。
【００２２】
本発明の光制御シート付き光入射部は、
光を取り入れる光入射部と、
前記光入射部に設けられ、上述したいずれかの光制御シートと、
を備える。
【発明の効果】
【００２３】
本発明によれば、保護フィルム、剥離フィルム又はシール部材が、前面側又は後面側を示すためのマークを有している。このため、視覚、触覚等で、光制御シートの前後面（表裏）を容易に把握することができる。
【００２４】
また、保護フィルム、剥離フィルム及びシール部材のいずれも、窓ガラス等の光入射部に取り付けられる際又は取り付けられた後で剥がされるので、窓ガラス等の光入射部に取り付けられた後で上記マークによって見た目が悪くなったり視界が阻害されたり、また、光制御シートに含まれる各層が果たすべき効果が阻害されたりすることを防止することができる。
【図面の簡単な説明】
【００２５】
【図１】図１は、本発明の第１の実施の形態による光制御シート付き光入射部の概略側方断面図である。
【図２】図２は、本発明の第１の実施の形態による光制御シートの概略側方断面図である。
【図３】図３は、本発明の第１の実施の形態による光制御シートを後面側から見た概略平面図である。
【図４】図４は、本発明の第１の実施の形態による光制御シートの変形例を後面側から見た概略平面図である。
【図５】図５は、本発明の第１の実施の形態による光制御シートの別の変形例の概略側方断面図である。
【図６】図６は、第１の実施の形態において、保護フィルムがマークとしての切欠きを有する態様を示した概略平面図である。
【図７】図７は、第１の実施の形態において、保護フィルムがマークとして、丸みを帯びた角部と角張った角部を有する態様を示した概略平面図である。
【図８】図８は、第１の実施の形態において、保護フィルムがマークとしての印を有する態様を示した概略平面図である。
【図９】図９は、第１の実施の形態において、保護フィルムがマークとしての凸部を有する態様を示した概略平面図である。
【図１０】図１０は、第１の実施の形態において、保護フィルムがマークとしての凹部又は孔部を有する態様を示した概略平面図である。
【図１１】図１１は、第１の実施の形態において、保護フィルムがマークとしてのビーズ、気泡又は中空粒子を有する態様を示した概略平面図である。
【図１２】図１２は、第１の実施の形態において、保護フィルムがマークとしての突出部を有する態様を示した概略平面図である。
【図１３】図１３は、第１の実施の形態において、保護フィルムがマークとしてのハーフカット部を有する態様を示した概略平面図である。
【図１４】図１４は、シール部材がマークを有する第２の実施の形態を示した概略平面図である。
【図１５】図１５は、熱線吸収部の代わりに光反射部を用いた態様を示したものであり、図１に対応した図面である。
【発明を実施するための形態】
【００２６】
第１の実施の形態
《構成》
以下、本発明に係る光制御シートと、このような光制御シートを備えた光制御シート付き光入射部の第１の実施の形態について、図面を参照して説明する。ここで、図１乃至図１３は本発明の第１の実施の形態を説明するための図である
【００２７】
なお、本実施の形態では、光制御部として熱線吸収部１１を用いた態様で説明するが、方向に応じて機能の発揮の仕方が変わるものであればよく、光制御部はこのような熱線吸収部１１に限られることはない。また、本実施の形態では、「光」の一例として「太陽光」を用いて以下説明するが、これに限られることはない。
【００２８】
本実施の形態の光制御シート１００は、図１に示すように、太陽光を取り入れる光入射部２００に貼り付けられて取り付けられる。なお、光入射部２００は例えば建物に設けられた太陽光を取り入れるための開口部を指し、例えば窓などの無機ガラスや有機ガラスなど（以下「窓ガラス等」と称することもある。）である。また、本実施の形態の光制御シート付き光入射部は、太陽光を取り入れる光入射部２００と、本実施の形態の光制御シート１００と、を備えている。なお、図１は、本実施の形態による光制御シート付き光入射部の概略側方断面図である。
【００２９】
図１に示す光制御シート１００は、太陽光に含まれる熱線を吸収する熱線吸収層（光制御層）１０と、熱線吸収層１０の後面側に設けられた基材層２０と、を備えている。このうち、熱線吸収層１０は、太陽光に含まれる熱線を吸収する複数の熱線吸収部１１を含む熱線吸収群と、少なくとも熱線吸収部１１の間に（本実施の形態では熱線吸収部１１の少なくとも一部を覆うように）設けられ、太陽光を透過する光透過部１６と、を有している。各熱線吸収部１１は、熱線を吸収する熱線吸収材料を含んでいる。ところで、本願において、「前面」とは、光制御シート１００が光入射部２００に貼り付けられた際に、光入射部２００側に位置する面のことを意味し、「後面」とは、当該「前面」と逆側の面のことを意味する（図１参照）。ちなみに、上記の熱線は一般に赤外線を指すが、具体的には、７６０〜８３０ｎｍ以上の波長領域等が含まれる。
【００３０】
光入射部２００に貼り付けられる前には、本実施の形態の光制御シート１００は、図２に示すように、基材層２０の後面側に基材層２０を保護するための保護フィルム４０を備える。なお、図２は、本実施の形態による光制御シート１００の概略側方断面図である。ちなみに、本実施の形態の光制御シート１００は粘着層を備えおらず、光入射部２００に貼り付けられる際に光制御シート１００又は光入射部２００に粘着剤が塗られ、当該粘着剤によって形成される粘着層３０を介して、光入射部２００に貼り付けられる（図１参照）。
【００３１】
熱線吸収部１１は、前面から後面に向かう方向（厚み方向）で突出し（図１参照）、かつ、面内で所定方向に沿って設けられている（図３参照）。なお、図３は、本実施の形態による光制御シート１００を後面側から見た概略図である。ちなみに、熱線吸収部１１は、熱線吸収層１０内に収まっており、熱線吸収層１０から飛び出していても良いが、熱線吸収層１０内に収まっているほうが良い。
【００３２】
所定方向に沿った熱線吸収部１１は、必ずしも一定ではないが定まった間隔（ピッチ）で配列されており、互いに平行となっている（図３参照）。ところで、本実施の形態において、上記「所定方向」は、光制御シート１００が光入射部２００に取り付けられた際に「水平方向」になる方向となっている（図３参照）。また、熱線吸収部１１は所定方向に沿って連続的に存在している必要は必ずしもなく、所定方向に沿って断続的に存在してもよい（図４参照）。なお、図４は、本実施の形態による光制御シート１００の変形例を後面側から見た概略図である。ところで、図３及び図４では、説明の便宜上、熱線吸収部１１と光透過部１６のみを図示している。
【００３３】
本実施の形態の熱線吸収部１１は、前面側から照射された光と後面側から照射された光で異なる熱吸収効果を示す。図１に示した態様では、熱線吸収部１１の横断面（面内で「所定方向」に直交する方向で切断した断面）が台形形状となっており、台形の下辺側から光が入射された場合の方が、台形の上辺側から光が入射された場合よりも熱吸収効果が高くなっている。すなわち、図１に示した態様の光制御シート１００では、前面側から照射された光に対する熱吸収効果が、後面側から照射された光に対する熱吸収効果よりも大きなものとなっている。なお、本実施の形態では、熱線吸収部１１の横断面が台形形状となっている態様を用いて説明するが、必ずしも熱線吸収部１１の横断面は台形形状になっている必要はなく、例えば三角形状となっていてもよい。
【００３４】
ところで、本実施の形態では、図１に示すように、建物の窓ガラス等の光入射部２００に屋内側から光制御シート１００を貼り付けた態様を基本として説明するが、これに限られることはなく、図５に示すように、光制御シート１００を建物の窓ガラス等の光入射部２００の屋外側から貼り付けることもできる。このように光制御シート１００を光入射部２００の屋外側から貼り付ける場合には、熱線吸収部１１の幅が広くなっている底部（横断面では台形形状の下辺）が、光入射部２００側ではなく、図５に示すように基材層２０側に位置するようになる。なお、図５に示した態様の光制御シート１００では、後面側から照射された光に対する熱吸収効果が、前面側から照射された光に対する熱吸収効果よりも大きなものとなっている。ちなみに、本願において熱線吸収部１１の「幅」とは、熱線吸収部１１の延在する面内において上述した「所定方向」に直交する方向における長さのことを意味している。
【００３５】
本実施の形態の保護フィルム４０は、光制御シート１００の前面側又は後面側を示すための「マーク」を有している。以下、当該「マーク」の様々な態様について説明する。なお、図６乃至図１３の各々に示された三本の平行な両方向矢印は上述した「所定方向」を示している。また、図６乃至図１１及び図１３の各々では保護フィルム４０だけを示し、熱線吸収層１０、基材層２０等の他の層は示していない。図１２では、保護フィルム４０と基材層２０だけを示し、熱線吸収層１０等の他の層は示していない。
【００３６】
［切欠き６０］
第一の態様では、図６に示すように、保護フィルム４０は切欠き６０を有し、当該切欠き６０がマークとして機能する。
【００３７】
図６（ａ）（ｂ）に示すように、切欠き６０が保護フィルム４０の１つの角部に設けられてもよいし、図６（ｃ）に示すように、切欠き６０が保護フィルム４０の２つの角部に設けられてもよいし、図６（ｄ）（ｅ）に示すように、切欠き６０が保護フィルム４０の３つの角部に設けられてもよい。また、切欠き６０は必ずしも保護フィルム４０の角部に設けられている必要はなく、図６（ｆ）のように、例えば保護フィルム４０の辺上に設けられてもよい。なお、図６（ｃ）に示すように、切欠き６０が熱線吸収層１０の２つの角部に設けられている態様では、一つの角部における切欠き６０の角度と、別の角部における切欠き６０の角度は異なるものとなっている。
【００３８】
［角部の形状］
第二の態様では、保護フィルム４０は、少なくとも一つの丸みを帯びた角部６５と、少なくとも一つの角張った角部６６を有している。ちなみに、光制御シート１００の前後面（表裏）が容易に判別できるように、丸みを帯びた角部６５は１つ又は３つ設けられていることが好ましい。
【００３９】
図７に示した態様では、図面の右上の角部が丸みを帯びた角部６５となっており、残りの３つの角部が角張った角部６６となっている。
【００４０】
［印７０］
第三の態様では、保護フィルム４０は光制御シート１００の前面側又は後面側（典型的には後面側）を示すための印字又は刻印がなされた印７０を有しており、当該印７０がマークとして機能する。なお、本実施の形態の刻印は、例えばレーザ光で刻印することもできる。また、印字する色を黒系の色（典型的には黒色）にすることで目視による判別をより容易にすることができる。
【００４１】
図８（ａ）に示した態様では、表（前面）側を示す「表」という文字が記されており、図８（ｂ）に示した態様では、表（前面）側を示す「おもて」という文字が記されている。なお、印７０がこのような文字である必要がないのは当然であり、単なる記号、図形等でもよい。
【００４２】
［凸部７５］
第四の態様では、保護フィルム４０は光制御シート１００の前面側又は後面側（典型的には後面側）を示すための凸部７５を有し、凸部７５がマークとして機能する。
【００４３】
図９に示した態様では、表（前面）側を示す「表」という文字が凸部７５で形成されている。なお、凸部７５はこのような文字である必要はなく、単なる記号、図形等でもよい。
【００４４】
［凹部８０又は孔部８１］
第五の態様では、保護フィルム４０は光制御シート１００の前面側又は後面側（典型的には後面側）を示すための凹部８０又は孔部８１を有し、凹部８０又は孔部８１がマークとして機能する。
【００４５】
図１０に示した態様では、表（前面）側を示す「表」という文字が凹部８０又は孔部８１で形成されている。なお、凹部８０又は孔部８１はこのような文字である必要はなく、単なる記号、図形等でもよい。
【００４６】
［ビーズ８５、気泡８６又は中空粒子８７］
第六の態様では、保護フィルム４０が光制御シート１００の前面側又は後面側を示すためのビーズ８５、気泡８６又は中空粒子８７を有し、当該ビーズ８５、気泡８６又は中空粒子８７がマークとして機能する。これらのビーズ８５、気泡８６又は中空粒子８７は、任意の１つを用いることもできるし、任意の２つを用いることもできるし、３つ全てを用いることもできる。
【００４７】
図１１に示した態様では、ビーズ８５、気泡８６又は中空粒子８７の塊が図面の右上に設けられている。
【００４８】
［突出部９０］
第七の態様では、保護フィルム４０が面方向において熱線吸収層１０及び基材層２０が設けられていない箇所に突出した突出部９０を有し、当該突出部９０がマークとして機能する。
【００４９】
図１２に示した態様では、図面の左上端部と右上端部の各々に突出部９０が設けられている。
【００５０】
［ハーフカット部４２］
第八の態様では、保護フィルム４０が、ハーフカット部４２と、ハーフカット部４２とは別体の保護フィルム本体部４１とを有している。そして、ハーフカット部４２は保護フィルム本体部４１に先だって基材層２０から剥離することができるようになっており、マークとして機能する。
【００５１】
図１３に示した態様では、保護フィルム４０の上方箇所に保護フィルム本体部４１よりも小さな長方形状のハーフカット部４２が設けられ、ハーフカット部４２の下方位置に長方形状の保護フィルム本体部４１が設けられている。なお、本実施の形態のハーフカット部４２は、典型的には光制御シート１００の後面側を示す。
【００５２】
ところで、本願において、熱線吸収部１１とは、光透過部１６よりも熱線を吸収すればよく、望ましくは光透過部１６より１０％以上多く熱線を吸収する。
【００５３】
次に、基材層２０、光透過部１６、熱線吸収部１１、保護フィルム４０及び粘着剤で用いられる材料や、これらの厚み等について、簡単に説明する。
【００５４】
（基材層２０）
基材層２０としては、例えばポリエチレンテレフタレート（ＰＥＴ）又はポリカーボネート（ＰＣ）等の透明のフィルムが用いられる。基材層２０の厚みは５〜２００μｍ、好ましくは１０〜１５０μｍ、より好ましくは５０〜１００μｍとなっている。基材層２０の厚みが５μｍより薄いと、生産時にしわがよったりして生産性が悪く、逆に、基材層２０の厚みが２００μｍよりも厚いとコストが高くなるし、また後述する光透過部１６を硬化させるときに基材層２０越しに電離放射線を照射した場合に電離放射線のロスを生じるといった不具合が発生してしまうことがある。
【００５５】
（光透過部１６）
光透過部１６の材料としては、従来公知の材料を用いることができるが、好ましくは電離放射線硬化性を有するエポキシアクリレート等の無溶剤樹脂を用いることができる。光透過部１６を形成する際には、無溶剤樹脂を成形用型に押し出して型付けし、その後、当該無溶剤樹脂を硬化させることで、凹部を有する光透過部１６が形成される。必要に応じて、熱、圧力をかけつつ押し出し、また、電離放射線を照射して硬化させてもよい。
【００５６】
凹部の形状は、求める光吸収性能に応じて任意に決めることができるが、熱線吸収部１１が光制御シートとしての機能を得る上では光制御シートの厚み方向（前面から後面に向かう方向）に長辺を持つ略長方形や三角形であることが好ましい。この略長方形とは、正方形、長方形及び台形を含む形状である。また凹部の角部は丸まっていてもよく、また各々の角部を結ぶ接線が直線でも曲線でもよい。
【００５７】
凹部には、後述する熱線吸収部１１を埋め込むが、熱線吸収部１１の幅が広いと熱線吸収部１１が視認できることがあるため外観を損ねることから、凹部の幅は５０μm以下とすることが好ましい。また、熱線吸収部１１の間隔（ピッチ）を狭めるほど熱線吸収性能が向上し、逆に熱線吸収部１１の間隔を広げるほど光透過部１６の面積が増加するので透明性が増す。そして、凹部の間隔は０．１μｍ〜５００μｍの範囲とすることが好ましい。また、熱線吸収部１１の高さは低いほど透明性が増し、高くするほど熱線吸収性能が向上する。そして、凹部の深さは０．１μｍ〜７５０μｍとすることが好ましい。
【００５８】
（熱線吸収部１１）
光透過部１６で少なくとも一部が覆われた熱線吸収部１１は、上述のようにして形成された光透過部１６をロールに沿わせながら搬送し、太陽光の少なくとの熱線を吸収できる熱線吸収材料を光透過部１６の凹部に埋め込み、スキージ等にて余分な熱線吸収材料を除去することで形成される。
【００５９】
上述した熱線吸収材料は、透明性を必要とする場合にはアンチモンドープ酸化錫（ＡＴＯ）又は錫ドープ酸化インジウム（ＩＴＯ）等の金属酸化物や６ホウ化ランタン等の微粒子を含有した樹脂組成物を用いることができる。ＡＴＯ微粒子又はＩＴＯ微粒子の直径は、ヘイズ（ＨＡＺＥ）を抑える観点から、１ｎｍ〜３００ｎｍであることが好ましく、１ｎｍ〜１００ｎｍであることがさらに好ましい。
【００６０】
樹脂組成物に使用できる樹脂としては、従来公知の樹脂が使用できるが、具体的には電離放射線硬化性樹脂が使用できる。電離放射線硬化樹脂としては、反応性オリゴマー（エポキシアクリレート系、ウレタンアクリレート系、ポリエーテルアクリレート系、ポリエステルアクリレート系、ポリチオール系等）、反応性のモノマー（ビニルピロリドン、２−エチルヘキシルアクリレート、β−ヒドロキシアクリレート、テトラヒドロフルフリルアクリテート等）等が用いられる。
【００６１】
なお、光透過部１６と熱線吸収部１１の屈折率を合わせることで太陽光の反射光、透過光の屈折が抑制され、眺望のための視認性が向上するため好ましい。
【００６２】
（保護フィルム４０）
保護フィルム４０には、ポリエチレンテレフタレートフィルム、ポリエチレンフィルム、ポリカーボネートフィルムなどを用いることができる。保護フィルム４０の厚みは５〜１００μｍが好ましい。保護フィルム４０の厚みが５μｍ未満では保護層としての役割が不足するおそれがあり、１００μｍを超えるとコストが高くなってしまうためである。
【００６３】
（粘着剤）
ところで、本実施の形態では、光制御シート１００の前面側にダイコート等で粘着剤を塗布することで、熱線吸収層１０の前面側に粘着層３０が形成される。
【００６４】
粘着層３０に耐候性を付与するために、粘着剤には耐候剤（ＵＶＡ、ＨＡＬＳ）が添加されていてもよい。耐候剤としては市販のものが用いられ、紫外線吸収剤（ＵＶＡ）、ヒンダードアミン系光安定剤（ＨＡＬＳ）としては既知のものを使用することができる。ＵＶＡとしては、例えば、ベンゾトリアゾール系ＵＶＡ、トリアジン系ＵＶＡ、ベンゾフェノン系ＵＶＡ、サリチレート系ＵＶＡ、アクリロニトリル系ＵＶＡ等を用いることができる。また、ＨＡＬＳとしては、「チヌビン１２３」、「チヌビン１４４」、「チヌビン２９２」、「チヌビン１１１ＦＤＬ」等を用いることができる。
【００６５】
《作用・効果》
次に、上述した構成からなる本実施の形態による作用・効果について説明する。
【００６６】
本実施の形態によれば、既に述べた作用・効果に加えて、以下の作用・効果を奏することができる。
【００６７】
本実施の形態によれば、保護フィルム４０が、光制御シート１００の前面側又は後面側を示すためのマークを有している。このため、視覚、触覚等で、光制御シート１００の前後面（表裏）を容易に把握することができる。
【００６８】
このことについて、以下、説明する。
【００６９】
熱線吸収部１１は、光制御シート１００の内部に設けられているので、光制御シート１００の表面は平滑であり、触覚では光制御シート１００の前後面（表裏）を判別することができない。また、熱線吸収部１１が着色していても目視で熱線吸収部１１の前後面（表裏）を判別することが難しく、熱線吸収部１１が可視光を透過し透明になっている場合には目視で熱線吸収部１１の前後面（表裏）を判別することはとりわけ難しい。他方、本実施の形態の熱線吸収部１１の横断面（面内で「所定方向」に直交する方向で切断した断面）は台形形状となっており、前面側から照射された太陽光と後面側から照射された太陽光で異なる熱吸収効果を有している。つまり、台形の下辺側から太陽光が入射された場合の方が、台形の上辺側から太陽光が入射された場合よりも熱吸収効果が高くなっている。このため、熱線吸収部１１による太陽光の吸収効果を効率よく発揮するためには、熱線吸収部１１の下辺側が太陽光の入射する方向に向くように、窓ガラス等の光入射部に貼り付けられる必要がある。
【００７０】
この点、従来から存在する光制御シート１００では前後面（表裏）が分かり難いため、光制御シート１００を窓ガラス等の光入射部２００に貼り付ける際に、作業者は前後面（表裏）を見極めることに非常に苦労し、その作業効率が悪くなっていた。
【００７１】
これに対して、本実施の形態によれば、保護フィルム４０が、光制御シート１００の前面側又は後面側（表裏）を示すためのマークを有しており、視覚、触覚等で、光制御シート１００の前面又は後面（表裏）を容易に把握することができる。
【００７２】
さらに、保護フィルム４０は、窓ガラス等の光入射部２００に取り付けられる際又は取り付けられた後で剥がされるので、窓ガラス等の光入射部２００に取り付けられた後でマークによって見た目が悪くなったり視界が阻害されたり、また、光制御シートの各層が果たすべき効果が阻害されたりすることを防止することができる。
【００７３】
より具体的には、図６に示すように、保護フィルム４０に切欠き６０が形成された態様では、作業者は、視覚及び触覚で、光制御シート１００の前面又は後面（表裏）を容易に把握することができる。また、本態様では、切欠き６０が熱線吸収層１０及び基材層２０のいずれにも設けられないので、これらの各層が果たすべき効果、つまり熱線吸収層１０であれば太陽光を吸収して遮光する効果、基材層２０であれば熱線吸収層１０を保護する効果を阻害することがない。
【００７４】
図７に示すように、保護フィルム４０が、少なくとも一つの丸みを帯びた角部６５と、少なくとも一つの角張った角部６６を有している態様では、作業者は、視覚及び触覚で、光制御シート１００の前面又は後面（表裏）を容易に把握することができる。また、本態様では、熱線吸収層１０及び基材層２０のいずれの角部も丸みを帯びた角部にする必要がなく、これらの層を削る必要がない。このため、本態様でも各層が果たすべき効果を阻害することがない。
【００７５】
図８に示すように、保護フィルム４０が光制御シート１００の前面側又は後面側（表裏）を示すための印字又は刻印がなされた印７０を有している態様では、作業者は、視覚で、光制御シート１００の前面又は後面（表裏）を容易に把握することができる。また、本態様では、保護フィルム４０が、窓ガラス等の光入射部２００に取り付けられる際又は取り付けられた後で剥がされるので、窓ガラス等の光入射部２００に取り付けられた後で印７０によって見た目が悪くなったり視界が阻害されたりすることがない。
【００７６】
図９に示すように、保護フィルム４０が光制御シート１００の前面側又は後面側（表裏）を示すための凸部７５を有している態様では、作業者は、視覚及び触覚で、光制御シート１００の前面又は後面（表裏）を容易に把握することができる。また、本態様では、保護フィルム４０が、窓ガラス等の光入射部２００に取り付けられる際又は取り付けられた後で剥がされるので、窓ガラス等の光入射部２００に取り付けられた後で凸部７５によって見た目が悪くなったり視界が阻害されたりすることがない。
【００７７】
図１０に示すように、保護フィルム４０が光制御シート１００の前面側又は後面側（表裏）を示すための凹部８０又は孔部８１を有している態様では、作業者は、視覚及び触覚で、光制御シート１００の前面又は後面（表裏）を容易に把握することができる。また、本態様では、保護フィルム４０が、窓ガラス等の光入射部２００に取り付けられる際又は取り付けられた後で剥がされるので、窓ガラス等の光入射部２００に取り付けられた後で凹部８０又は孔部８１によって見た目が悪くなることがない。また、本態様では、熱線吸収層１０及び基材層２０のいずれにも凹部又は孔部を設ける必要がなく、これらの層を削る必要がない。このため、本態様でも各層が果たすべき効果を阻害することがない。
【００７８】
図１１に示すように、保護フィルム４０が光制御シート１００の前面側又は後面側（表裏）を示すためのビーズ８５、気泡８６又は中空粒子８７を有している態様では、作業者は、視覚で、光制御シート１００の前面又は後面（表裏）を容易に把握することができる。また、本態様では、保護フィルム４０が、窓ガラス等の光入射部２００に取り付けられる際又は取り付けられた後で剥がされるので、窓ガラス等の光入射部２００に取り付けられた後でビーズ８５、気泡８６又は中空粒子８７によって見た目が悪くなったり視界が阻害されたりすることがない。
【００７９】
図１２に示すように、保護フィルム４０が面方向において熱線吸収層１０及び基材層２０が設けられていない箇所に突出した突出部９０を有している態様では、作業者は、視覚及び触覚で、光制御シート１００の前面又は後面（表裏）を容易に把握することができる。また、このような突出部９０を設けることで、保護フィルム４０を基材層２０から容易に剥がすことができる。
【００８０】
図１３に示すように、保護フィルム４０が、ハーフカット部４２と、ハーフカット部４２とは別体の保護フィルム本体部４１とを有している態様では、作業者は、視覚及び触覚で、光制御シート１００の前面又は後面（表裏）を容易に把握することができる。
【００８１】
第２の実施の形態
次に、本発明の第２の実施の形態について、図１４を用いて説明する。
【００８２】
第２の実施の形態では、熱線吸収層１０の前面側又は保護フィルム４０の後面側に剥離可能にシール部材９５が設けられている。そして、第１の実施の形態では、保護フィルム４０が光制御シート１００の前面側又は後面側を示すための「マーク」を有している態様であったが、第２の実施の形態では、保護フィルム４０ではなく、シール部材９５が光制御シート１００の前面側又は後面側を示すための「マーク」を有している態様となっている。
【００８３】
図１４に示した態様では、表（前面）側を示す「表」という文字を含んだシール部材９５が保護フィルム４０に貼られている。なお、シール部材９５はこのような文字ではなく、単なる記号、図形等を有してもよい。
【００８４】
第２の実施の形態において、その他の構成は、第１の実施の形態と略同一の態様となっている。第２の実施の形態において、第１の実施の形態と同一部分には同一符号を付して詳細な説明は省略する。なお、図１４では、保護フィルム４０とシール部材９５だけを示し、熱線吸収層１０、基材層２０等の他の層は示していない。
【００８５】
本実施の形態でも、第１の実施の形態と同様の態様が採られ、第１の実施の形態と同様の効果を奏することができる。
【００８６】
本実施の形態によれば、作業者は、視覚で、光制御シート１００の前面側又は後面側を容易に把握することができる。また、本実施の形態では、シール部材９５が、窓ガラス等の光入射部２００に取り付けられる際又は取り付けられた後で剥がされるので、窓ガラス等の光入射部２００に取り付けられた後でシール部材９５によって見た目が悪くなったり視界が阻害されたりすることがない。
【００８７】
第１の実施の形態及び第２の実施の形態の変形例
第１の実施の形態及び第２の実施の形態では、光制御部として熱線吸収部１１を用いた態様で説明したが第１の実施の形態及び第２の実施の形態において、熱線吸収部１１の代わりに、光を反射して光の入射側とは反対側に光を取り込む複数の光反射部１２を用いることもできる。
【００８８】
本変形例では、第１の実施の形態及び第２の実施の形態で「熱線吸収部１１」となっている部分が「光反射部１２」となり、「熱線吸収層１０」となっている部分が「光反射層１０ａ」となるだけである。なお、図１５は、熱線吸収部の代わりに光反射部を用いた態様を示したものであり、図１に対応した図面である。
【００８９】
まず、光反射部を製造する工程について、簡単に説明する。
【００９０】
光透過部１６で少なくとも一部が覆われた光反射部１２は、熱線吸収部１１と同様、光透過部１６をロールに沿わせながら搬送し、太陽光を反射及び／又は屈折することができる光反射材料を光透過部１６の凹部に埋め込み、スキージ等にて余分な光反射材料を除去することで形成される。
【００９１】
上述した光反射材料としては、いわゆるミラーインキを用いることができる。ミラーインキとは、分散されたアルミニウム粒子又は銀粒子等の高反射率のパウダーと、透明樹脂材料からなるバインダー樹脂とを含んだものである。このバインダー樹脂には例えば紫外線硬化性樹脂、熱硬化性樹脂等を用いることができる。また、光反射材料としては、バインダー樹脂に散乱反射を起こす例えば酸化チタン、酸化亜鉛パウダー等を分散させた白インキを用いてもよく、この場合には、光反射部１２で反射される光を散乱光とすることができる。また、光反射材料として無色透明インキを用いてもよく、この場合には、光反射部１２の少なくとも上側の面で全反射が生じるように、光透過部１６を構成する透明材料の屈折率に対して、これより屈折率が小さな材料が選定される。
【００９２】
第１の実施の形態を基準とした変形例では、第１の実施の形態で述べたのと同様の効果を奏することができる。重要な効果のみ記載すると、保護フィルム４０が、光制御シート１００の前面側又は後面側を示すためのマークを有している。このため、視覚、触覚等で、光制御シート１００の前後面（表裏）を容易に把握することができる。なお、その他の効果についても、第１の実施の形態で述べたものと概ね同一である。
【００９３】
第２の実施の形態を基準とした変形例では、第２の実施の形態で述べたのと同様の効果を奏することができる。すなわち、作業者は、視覚で、光制御シート１００の前面側又は後面側を容易に把握することができる。また、本実施の形態では、シール部材９５が、窓ガラス等の光入射部２００に取り付けられる際又は取り付けられた後で剥がされるので、窓ガラス等の光入射部２００に取り付けられた後でシール部材９５によって見た目が悪くなったり視界が阻害されたりすることがない。
【００９４】
なお、本願において、光反射部１２とは、入射された太陽光等の光を反射すればよく、望ましくは入射光の半分以上の光を反射すればよい。
【００９５】
ところで、本変形例においても、マークを少なくとも粘着層３０が有する態様を用いることもできる。この場合にも、第１の実施の形態及び第２の実施の形態の変形例と同様の効果を奏することができる。
【００９６】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００９７】
１０        熱線吸収層（光制御層）
１０ａ      光反射層（光制御層）
１１        熱線吸収部（光制御部）
１２        光反射部（光制御部）
１６        光透過部
２０        基材層
３０        粘着層
４０        保護フィルム
４１        保護フィルム本体部
４２        ハーフカット部
６０，６０ａ  切欠き
６５，６５ａ  丸みを帯びた角部
６６，６６ａ  角張った角部
７０，７０ａ  印
７５，７５ａ  凸部
８０，８０ａ  凹部
８１，８１ａ  孔部
８５，８５ａ  ビーズ
８６，８６ａ  気泡
８７，８７ａ  中空粒子
９０，９０ａ  突出部
９５，９５ａ  シール部材
１００      光制御シート
２００      光入射部
【図１】
2014089377.tif 000003
【図２】
2014089377.tif 000004
【図３】
2014089377.tif 000005
【図４】
2014089377.tif 000006
【図５】
2014089377.tif 000007
【図６】
2014089377.tif 000008
【図７】
2014089377.tif 000009
【図８】
2014089377.tif 000010
【図９】
2014089377.tif 000011
【図１０】
2014089377.tif 000012
【図１１】
2014089377.tif 000013
【図１２】
2014089377.tif 000014
【図１３】
2014089377.tif 000015
【図１４】
2014089377.tif 000016
【図１５】
2014089377.tif 000017